(57)【要約】      （修正有）【課題】収納凹部に収納された隣接する青果物同士の接触を回避するとともに、収納凹部に簡単に青果物を収納し、これを保持することができる青果物用トレーを提供する。【解決手段】青果物を収納するための複数の収納凹部１２が形成された青果物用トレーである。収納凹部１２には、青果物を収納するための収納壁部１３が形成されている。青果物用トレーのうち少なくとも収納壁部１３には、複数の貫通孔１６，１６，…が形成されている。各収納凹部１２を形成する収納壁部１３のうち収納凹部１２の底部を形成する底壁部１４の貫通孔１６の孔数である底孔数は３個以上であり、収納壁部１３の貫通孔１６の孔数に対して、１７％から６０％の範囲にある。【選択図】図４
0003194811.tif 000002
【実用新案登録請求の範囲】
【請求項１】
青果物を収納するための複数の収納凹部が形成された青果物用トレーであって、
前記各収納凹部は収納壁部により形成されており、
前記青果物用トレーのうち少なくとも前記収納壁部には、複数の貫通孔が形成されており、
前記各収納凹部を形成する収納壁部のうち前記収納凹部の底部を形成する底壁部の貫通孔の孔数である底孔数は、少なくとも３個以上であり、前記収納壁部の貫通孔の孔数に対して、１７％から６０％の範囲にあることを特徴とする青果物用トレー。
【請求項２】
前記底壁部を前記収納凹部の深さ方向に直交する平面に投影した投影領域の底面積は、前記収納壁部を前記平面に投影した投影領域の面積に対して４５％から７５％の範囲にあることを特徴とする請求項１に記載の青果物用トレー。
【請求項３】
前記底壁部の周縁部およびその近傍に、前記貫通孔が形成されていることを特徴とする請求項１または２に記載の青果物用トレー。
【請求項４】
請求項１〜３のいずれかに記載の青果物用トレーと、
前記青果物用トレーの底壁部に接触した状態で、前記青果物用トレーを収納する紙製の収納箱と、を備えた青果物包装材。
【考案の詳細な説明】
【技術分野】
【０００１】
本考案は、トマト、リンゴ、梨、桃、等の各種青果物の収穫、選別、出荷、輸送等に用いる青果物用トレーおよびこれを備えた青果物包装材に係り、特には青果物搬送用として好適な青果物用トレーおよびこれを備えた青果物包装材に関するものである。
【背景技術】
【０００２】
従来から、トマト等の各種の青果物の収穫、選別、出荷、輸送用においては、青果物の取り扱いを容易にするとともに、青果物同士の接触や他物との接触による損傷を防止し保護する目的で、合成樹脂発泡シートやパルプモールド等の適度の弾力性を有する素材を用いて、青果物を個装状態に収納保持できる複数の収納凹部を形成したトレーが使用されている。
【０００３】
このような青果物用トレーの一例として、リンゴ、梨或いは、桃等の青果物を収納するための複数の収納凹部が形成された青果物用トレーが提案されている（たとえば、特許文献１参照）。この青果物用トレーには、孔径１．０ｍｍ〜５．０ｍｍの範囲で多数の通気用細孔を貫通状に穿設せしめられている。この青果物用トレーによれば、通気用細孔を設けることにより、収納凹部に収納された青果物の通気性を確保することができる。
【０００４】
また、別の青果物用トレーの一例として、青果物を収納する複数の収納凹部が形成された青果物用トレーであって、収納凹部の底部を形成する底壁部に複数の穿孔部を設けた青果物用トレーが形成されている（たとえば、特許文献２参照）。この青果物用トレーによれば、底壁部に穿孔部を複数設けることにより、収納凹部内の水分を穿孔部から排水することができる。
【先行技術文献】
【特許文献】
【０００５】
【特許文献１】実開昭６１−３２０７５号公報
【特許文献２】実開昭６３−１５４４１６号公報
【考案の概要】
【考案が解決しようとする課題】
【０００６】
しかしながら、特許文献１で提案されている青果物用トレーは、複数の通気用細孔により、収納凹部に収納された青果物の通気性を確保しているが、収納凹部に青果物からの結露水などの水分が溜った場合、この水分をトレー外部に排水することは難しい。
【０００７】
これに対して、特許文献２で提案されている青果物用トレーは、収納凹部の底部を形成する底壁部に穿孔部を複数設けているので、収納凹部の水分をトレー外部に排水することができる。しかしながら、収納凹部を形成する側壁部には穿孔部等の貫通孔が形成されていないため、収納凹部に収納された青果物の通気性を確保することが難しく、湿気ムレが生じるおそれがあった。
【０００８】
本考案は、このような点を鑑みてなされたものであり、その目的とするところは、収納凹部に収納された青果物の通気性を確保することにより青果物の湿気ムレを防止するとともに、収納凹部に溜る結露水等の水分をトレー外部に良好に排水することができる青果物用トレーを提供することにある。
【課題を解決するための手段】
【０００９】
前記課題を解決すべく、考案者は鋭意検討を重ねた結果、青果物を収納する収納凹部を形成する収納壁部に貫通孔を設ける場合、収納凹部の通気性と排水性を両立させるためには、側壁部と底壁部とに設けられた貫通孔数の割合が重要であるとの新たな知見を得た。
【００１０】
本考案は、考案者の新たな知見に基づくものであり、本考案に係る青果物用トレーは、青果物を収納するための複数の収納凹部が形成された青果物用トレーであって、前記各収納凹部は収納壁部により形成されており、前記青果物用トレーのうち少なくとも前記収納壁部には、複数の貫通孔が形成されており、前記各収納凹部を形成する収納壁部のうち前記収納凹部の底部を形成する底壁部の貫通孔の孔数である底孔数は、少なくとも３個以上であり、前記収納壁部の貫通孔の孔数に対して、１７％から６０％の範囲にある。
【００１１】
本考案によれば、青果物を収納する収納凹部を形成する少なくとも収納壁部には、複数の貫通孔が形成されており、底壁部の貫通孔の孔数（底孔数）を、少なくとも３個以上とし、収納壁部の孔数に対して上述した範囲とすることにより、収納凹部に溜る青果物からの結露水等の水分をトレー外部に良好に排水することができる。また、収納凹部の一部を形成する側壁部にも貫通孔が形成されることになるので、収納凹部に収納された青果物の通気性を確保することにより、青果物の湿気ムレを防止することができる。
【００１２】
ここで、底壁部の底孔数が、収納壁部の孔数に対して１７％未満である場合、上述したトレー外部への水分の排水性を十分に確保することができない。一方、底壁部の底孔数が、収納壁部の孔数に対して６０％を超えた場合、側壁部に形成される貫通孔の孔数が少ないため、収納凹部に収納された青果物の通気性を確保し難く、青果物に湿気ムレが生じてしまう。
【００１３】
より好ましい態様としては、前記底壁部を前記収納凹部の深さ方向に直交する平面に投影した投影領域の底面積は、前記収納壁部を前記平面に投影した投影領域の面積に対して４５％から７５％の範囲にある。
【００１４】
この態様によれば、底壁部を投影した底面積を、収納壁部を投影した面積に対して上述した範囲とすることにより、収納壁部の強度を確保しつつ、収納凹部に溜る結露水等の水分をより一層、トレー外部に良好に排水することができる。
【００１５】
ここで、底壁部を投影した底面積が、収納壁部を投影した面積に対して４５％未満である場合、底壁部の裏側表面が外部に接触する面積が小さいため、底壁部の貫通孔から抜け難いことがある。特に、収納箱を用いた場合には、青果物を収納時に、底壁部が収納箱に接触する面積が小さいため、収納箱による吸水性の効果を十分に期待することができないことがある。
【００１６】
一方、底壁部を投影した底面積が、収納壁部を投影した面積に対して７５％を超えた場合、底壁部が大き過ぎるため、構造上、側壁部が薄くなり剛性不足になることがある。
【００１７】
さらに好ましい態様としては、前記底壁部の周縁部およびその近傍に、前記貫通孔が形成されている。この態様によれば、底壁部の周縁部およびその近傍に貫通孔が形成されるので、収納凹部の一部を形成する側壁部を伝って底壁部に流れる水分を迅速に排出することができる。
【００１８】
さらに本考案に係る青果物包装材は、前記いずれかの青果物用トレーと、前記青果物用トレーの底壁部に接触した状態で、前記青果物用トレーを収納する紙製の収納箱と、を備えることを特徴とする。
【００１９】
本考案によれば、結露水の水分は収納壁部の底壁部に流れ溜まり易く、底壁部の貫通孔から収納箱に排水される。このとき、収納壁部の底壁部が紙製の収納箱に接触しているため、底壁部の貫通孔付近に表面張力で留まっている水分も紙製の収納箱に積極的に吸水される。これにより、収納凹部に溜った水分を効率的に排水することができる。
【考案の効果】
【００２０】
本考案に係る青果物用トレーによれば、収納凹部に収納された青果物の通気性を確保することにより青果物の湿気ムレを防止するとともに、収納凹部に溜る結露水等の水分をトレー外部に良好に排水することができる。
【図面の簡単な説明】
【００２１】
【図１】本考案の実施形態に係る青果物用トレーの模式的斜視図。
【図２】図１に示す青果物用トレーの平面図。
【図３】図２に示すＡ−Ａ線矢視断面斜視図。
【図４】（ａ）収納凹部の断面図、（ｂ）連結溝無しの収納凹部の平面図、（ｂ）連結溝付きの収納凹部の平面図。
【図５】図１に示す青果物用トレーを収納箱に収納した青果物包装材の模式的斜視図。
【図６】図５に示す青果物包装材の断面図。
【考案を実施するための形態】
【００２２】
以下に、本考案の実施の形態を、図１〜５を参照しながら説明する。
本実施形態に係る青果物用トレー１は、トマト、リンゴ、梨、桃などの青果物を複数収納するためのトレーである。青果物用トレー１の構成素材としては、たとえば合成樹脂（熱可塑性樹脂）発泡シートが用いられ、合成樹脂発泡シートとしては、ポリプロピレンやポリエチレン等のポリオレフィン系樹脂、ポリエステル系樹脂、ポリスチレン系樹脂、ポリ塩化ビニル系樹脂その他の適度の弾力性を有しかつ保形強度のある各種の合成樹脂発泡シート、あるいはこれらの合成樹脂発泡シートの片面もしくは両面に非発泡樹脂をラミネートした合成樹脂発泡シートが用いられる。これらの中に界面活性剤、抗菌剤、着色剤等の添加剤を加えても良い。
【００２３】
中でも、ポリスチレン系樹脂の発泡シートの場合、剛性と柔軟性のバランスがよく緩衝性に優れ、かつ強度があって保形、復元性、成形性にも優れるため、繰り返し使用するのに適している。さらに、ポリスチレン系樹脂の発泡シートは、ポリオレフィン系樹脂の発泡シートに比べ比較的強靭でないので孔加工がしやすく部分的に後述する貫通孔が開かない等も問題も発生しにくい。
【００２４】
合成樹脂発泡シートにより成形されたトレーの厚みは、使用素材によっても異なるが、ポリスチレン系樹脂発泡シートの場合、トレーの厚みは１．０ｍｍから３．０ｍｍの範囲にあり、未発泡の状態から発泡倍率が１０倍から２０倍の範囲に発泡しているものが好ましい。トレーの厚みが前記より小さくなると、充分な支持強度が得られなくなり、またトレーの厚みが前記より大きくなると、発泡シートからの成形が困難になる上に嵩高になる。また、発泡倍率が、前記範囲より小さいと、青果物に対して充分な緩衝性が得られず、発泡倍率が範囲より大きいと、トレーの強度が低下し、輸送中に剛性不足で青果物が損傷するおそれがある。青果物用トレー１は、適度の弾力性及び保形性を有する上述した熱可塑性の合成樹脂発泡シートから真空成形、圧空成形等の熱成形加工の手段により一体に成形されてなる。
【００２５】
本実施形態では、後述する複数の貫通孔１６，１６,…に相当する貫通孔を予め孔加工した合成樹脂発泡シートを熱成形するが、たとえば、孔加工されていない剛性樹脂発泡シートをトレーの形状に熱成形した後、後述する収納壁部のみに複数の貫通孔１６，１６，…を成形してもよい。
【００２６】
図１から図３に示すように、青果物用トレー１には、トレー外周縁部１１と、トレー外周縁部１１の内方において所定の間隔で配列された複数の収納凹部１２，１２，…とが形成されている。各収納凹部１２は、収納壁部１３により形成されている。複数の収納凹部１２，１２…のうち、いくつかの収納凹部１２には、隣接する収納凹部１２と連結する連結溝１８が形成されている。
【００２７】
ここで、本実施形態では、成形前の剛性樹脂発泡シートに孔を設けたので、熱成形された青果物用トレー１の収納壁部１３を含むトレー全体には、複数の貫通孔１６，１６,…が形成されている。ここで、各貫通孔１６の間隔は、５ｍｍから２０ｍｍのピッチの範囲にあり、その孔径は０．３ｍｍから３ｍｍの範囲にあることが好ましい。
【００２８】
本実施形態では、図３に示すように、収納壁部１３は、収納凹部１２の底部を形成する底壁部１４と、底壁部１４の周縁部１４ａから連続して収納凹部１２の開口部１２ａまで立ち上がった側壁部１５とを備えている。
【００２９】
本実施形態では、底壁部１４に形成される複数の貫通孔１６，１６，…の孔数である底孔数は、少なくとも３個以上であり、収納壁部１３の貫通孔１６，１６，…の孔数に対して、１７％から６０％の範囲にある。
【００３０】
このように底壁部１４の貫通孔１６，１６，…の底孔数を、収納壁部１３の孔数に対して上述した範囲とすることにより、収納凹部１２に溜る青果物Ｔからの結露水等の水分をトレー外部に良好に排水することができる。また、収納凹部１２の一部を形成する側壁部１５にも貫通孔１６が形成されることになるので、収納凹部１２に収納された青果物Ｔの通気性を確保することにより、青果物Ｔの湿気ムレを防止することができる。
【００３１】
ここで、底壁部１４の底孔数が、３個未満の場合には、考案者の経験から貫通孔１６の個数が十分でないため、収納凹部１２から水分を排出することができない。底壁部１４の底孔数は、７０個以下であることが好ましい。底壁部１４の底孔数が、７０個を超えた場合には、考案者らの経験からトレーの剛性が低下するおそれがあり、シート厚みを厚くする等の強度アップを行うことがある。
【００３２】
さらに、底壁部１４の底孔数が、収納壁部１３の孔数に対して１７％未満である場合、上述したトレー外部への水分の排水性を十分に確保することができない。一方、底壁部１４の底孔数が、収納壁部１３の孔数に対して６０％を超えた場合、収納凹部１２に収納された青果物Ｔの通気性を確保し難く、青果物Ｔに湿気ムレが生じてしまう。
【００３３】
ここで、本考案でいう「底壁部」とは、収納凹部１２にトマトなどの青果物Ｔを収納した状態で、青果物Ｔによる自重による変形も含めて、トレー裏面側の底壁部１４が平面状の収納箱２０の底部２２に接触する部分をいう。たとえば、上述したトレーの厚みの範囲を前提とした場合、図４（ａ）に示すように、収納凹部１２の底面から高さｄが７ｍｍ以内の範囲までが底壁部１４に含まれる。
【００３４】
さらに上述した底壁部１４の底孔数と、収納壁部１３の孔数との関係を満たした上で、本実施形態では、図４（ｂ）に示すように、底壁部１４を収納凹部１２の深さ方向に直交する平面に投影した投影領域（具体的には周縁部１４ａで囲まれた領域）の底面積ＳＢが、収納壁部１３を前記平面に投影した投影領域（具体的には収納凹部１２の開口部１２ａで囲まれた領域）の収納壁部１３の面積ＳＴに対して４５％から７５％の範囲にある（底面積ＳＢ／収納壁部の面積ＳＴが４５％〜７５％の範囲にある）。
【００３５】
ここで、図４（ｃ）に示すように、収納凹部１２に連結溝１８が形成されている場合、底面積ＳＢは、底壁部１４の周縁部１４ａを繋いだ仮想円の円周で囲まれた領域の面積であり、収納壁部の面積ＳＴは、収納凹部１２の開口部１２ａを繋いだ仮想円の円周で囲まれた領域の面積である。
【００３６】
底壁部１４を投影した底面積ＳＢが、収納壁部１３を投影した面積ＳＴに対して上述した範囲とすることにより、収納壁部１３の強度を確保しつつ、収納凹部１２に溜る結露水等の水分をより一層、トレー外部に良好に排水することができる。
【００３７】
ここで、底壁部１４を投影した底面積ＳＢが、収納壁部１３を投影した面積ＳＴに対して４５％未満である場合、底壁部１４の裏側表面が外部に接触する面積が小さいため、底壁部１４の貫通孔１６から抜け難いことがある。また、後述する紙製の収納箱２０を用いた場合、青果物Ｔを収納時に、底壁部１４が収納箱２０の底部２２に接触する面積が小さいため、収納箱２０による吸水性の効果を十分に期待することができないことがある。
【００３８】
一方、底壁部１４を投影した底面積ＳＢが、収納壁部１３を投影した面積ＳＴに対して７５％を超えた場合、底壁部１４が大き過ぎるため、側壁部１５が薄くなり剛性不足になることがある。
【００３９】
さらに、底壁部１４の貫通孔１６からの排水性を高めるためには、底壁部１４の貫通孔１６は、単位面積当たり０．４個／ｃｍ２から３個／ｃｍ２の範囲にあることが好ましい。ここで、底壁部１４の貫通孔１６が、単位面積当たり０．４個／ｃｍ２未満である場合には、貫通孔１６に水分が到達するのに時間がかかり、この場合も迅速に水分をトレー外部に排水することができないことがある。一方、底壁部１４の貫通孔１６が、単位面積当たり３個／ｃｍ２を超えた場合には、底壁部１４の強度が低下するおそれがある。
【００４０】
また、本実施形態では、底壁部１４の周縁部１４ａおよびその近傍に、貫通孔１６が形成されている。底壁部１４の周縁部１４ａおよびその近傍に貫通孔１６が形成されるので、収納凹部１２の一部を形成する側壁部１５を伝って底壁部１４に流れる水分を迅速に排出することができる。
【００４１】
このような、青果物用トレー１および紙製の収納箱２０を用いて、トマトなどの青果物Ｔを包装することができる。図５および６に示す青果物包装材１０は、青果物用トレー１と、青果物用トレー１の底壁部１４に接触した状態で、青果物用トレー１を収納する収納箱２０と、を備える。収納箱２０は、ダンボールなどの紙製の吸水性を有した材料からなる。
【００４２】
収納箱２０は、青果物用トレー１の底壁部１４と接触し、青果物Ｔが収納された青果物用トレー１を支持する底部２２と、底部２２の周りから立設し、青果物用トレー１を囲うように形成された側壁２１と、収納箱２０の上部において、対向する一対の側壁２１,２１の上縁部に連結された一対の連結部２４，２４とを備えている。
【００４３】
青果物Ｔを包装する際には、まず、青果物用トレー１の底壁部１４が収納箱２０の底部２２に接触（当接）するように、収納箱２０内に青果物用トレー１を配置する。次に、青果物Ｔの蔕部分Ｔａを下方に向けて、青果物Ｔを収納箱２０内に青果物用トレー１の収納凹部１２に収納する。
【００４４】
このように青果物Ｔを青果物包装材１０で包装することにより、青果物Ｔが収納された青果物用トレー１の収納凹部１２に溜った結露水等の水分は、収納壁部１３の底壁部１４に流れ溜まり易く、底壁部１４の貫通孔１６から収納箱２０に排水される。収納壁部１３の底壁部１４が紙製の収納箱２０の底部２２に接触しているため、底壁部１４の貫通孔１６付近に表面張力で留まっている水分も紙製の収納箱２０の底部２２に積極的に吸水される。これにより、収納凹部１２に溜った水分を効率的に底壁部１４の貫通孔１６から排水することができる。
【実施例】
【００４５】
本考案の実施例を以下に示す。
〔実施例１〕
発泡倍率１４倍、シート厚み１．３ｍｍ、孔径φ０．７ｍｍ、孔間隔１０ｍｍの貫通孔が形成された、ポリスチレン系発泡シートを熱成形して、表１に示すように、開口部の直径（開口径）７４ｍｍ、底壁部の直径（底径）５６ｍｍ、深さ２５ｍｍとなる収納凹部が複数形成された青果物用トレー（以下、トレーという）を成形した。
【００４６】
底壁部の直径は、図４（ａ）に示すように、収納凹部の底面から高さｄが７ｍｍ以内の範囲までを底壁部とした直径である。成形後のトレーに形成された貫通孔の孔径φは約１．０ｍｍ程度であった。
【００４７】
さらに、実施例１のトレーの収納凹部では、表１に示すように、底孔数２３個、底孔数比率４０％、面積率５７％、底壁部の単位面積当たりの孔数０．９３ｃｍ２、側孔数比率６０％であった。ここで、（１）底孔数、（２）底孔数比率、（３）面積率、（４）底壁部の単位面積当たりの孔数、（５）側孔数比率を以下に定義した。
（１）底孔数は、各収納凹部の底壁部に形成された貫通孔の個数の平均値である。
（２）底孔数比率は、各収納凹部の収納壁部に形成された貫通孔の個数の平均値を収納壁部の孔数としたときに、収納壁部の孔数に対する底孔数の割合（底孔数／収納壁部の孔数）である。
（３）面積率は、以下のようにして算出した値である。収納壁部を収納凹部の深さ方向に直交する平面に投影した投影領域の面積（収納壁部の面積）を、収納凹部の開口部の面積として開口径から算出した。底壁部を収納凹部の深さ方向に直交する平面に投影した投影領域の面積（底面積）を、底壁部の面積として底径から算出する。算出した収納壁部の面積と底面積とから、収納壁部の面積に対する底面積の割合（底面積／収納壁部の面積）を面積率とした。
（４）底壁部の単位面積当たりの孔数は、底壁部の貫通孔の孔数を底面積で除算した値である。
（５）側孔数比率は、各収納凹部の側壁部に形成された貫通孔の個数の平均値を側孔数としたときに、収納壁部の孔数に対する側孔数の割合（側孔数／収納壁部の孔数）である。
【００４８】
〔実施例２〕
実施例１と同じように、貫通孔が形成されたポリスチレン系発泡シートを用いてトレーを熱成形により作製した。実施例１と相違する点は、表１に示すように、開口径９７ｍｍ、底径７７ｍｍ、深さ２９ｍｍとなる収納凹部を成形し、底孔数４０個、底孔数比率３７％、面積率６３％、底壁部の単位面積当たりの孔数０．８６ｃｍ２、側孔数比率６３％とした点である。
【００４９】
〔実施例３〕
実施例１と同じように、貫通孔が形成されたポリスチレン系発泡シートを用いてトレーを熱成形により作製した。実施例１と相違する点は、表１に示すように、開口径６３ｍｍ、底径４４ｍｍ、深さ２８ｍｍとなる収納凹部を成形し、底孔数１０個、底孔数比率２１％、面積率４９％、底壁部の単位面積当たりの孔数０．６６ｃｍ２、側孔数比率７９％とした点である。
【００５０】
〔実施例４〕
実施例１と同じように、貫通孔が形成されたポリスチレン系発泡シートを用いてトレーを熱成形により作製した。実施例１と相違する点は、表１に示すように、開口径９７ｍｍ、底径７７ｍｍ、深さ２９ｍｍとなる収納凹部を成形し、底孔数１１個、底孔数比率２０％、面積率６３％、底壁部の単位面積当たりの孔数０．２４ｃｍ２、側孔数比率８０％とした点である。
【００５１】
〔実施例５〕
実施例１と同じように、貫通孔が形成されたポリスチレン系発泡シートを用いてトレーを熱成形により作製した。実施例１と相違する点は、表１に示すように、開口径６３ｍｍ、底径３８ｍｍ、深さ２８ｍｍとなる収納凹部を成形し、底孔数９個、底孔数比率１９％、面積率３６％、底壁部の単位面積当たりの孔数０．７９ｃｍ２、側孔数比率８１％とした点である。
【００５２】
〔実施例６〕
実施例１と同じように、貫通孔が形成されたポリスチレン系発泡シートを用いてトレーを熱成形により作製した。実施例１と相違する点は、表１に示すように、開口径３８ｍｍ、底径２４ｍｍ、深さ２０ｍｍとなる収納凹部を成形し、底孔数５個、底孔数比率１７％、面積率４０％、底壁部の単位面積当たりの孔数１．１１ｃｍ２、側孔数比率８３％とした点である。
【００５３】
〔比較例１〕
実施例１と同じように、貫通孔が形成されたポリスチレン系発泡シートを用いてトレーを熱成形により作製した。実施例１と相違する点は、表１に示すように、開口径７４ｍｍ、底径６６ｍｍ、深さ２５ｍｍとなる収納凹部を成形し、底孔数３７個、底孔数比率６２％、面積率８０％、底壁部の単位面積当たりの貫通孔の孔数１．０８ｃｍ２、側孔数比率３８％とした点である。
【００５４】
〔比較例２〕
実施例１と同じように、貫通孔が形成されたポリスチレン系発泡シートを用いてトレーを熱成形により作製した。実施例１と相違する点は、表１に示すように、開口径７４ｍｍ、底径３２ｍｍ、深さ２５ｍｍとなる収納凹部を成形し、底孔数９個、底孔数比率１５％、面積率１９％、底壁部の単位面積当たりの貫通孔の孔数１．１２ｃｍ２、側孔数比率８５％とした点である。
【００５５】
＜排水性評価＞
実施例１〜６および比較例１，２のトレーを、図５および６に示すような紙製の収納箱（外装用ダンボール箱）内に詰め、各トレーの収納凹部に水を２ｃｃ垂らした後、この収納凹部の大きさにあったトマトを置き、この状態を１時間〜２時間保持した。その後、トマトを取り出して、収納凹部の底壁部の水溜りの状況を目視で観察した。
【００５６】
ここで、排水性評価において、各トレーの収納凹部に水を２ｃｃ垂らしたのは、外装用ダンボール箱内のトレーにトマトを詰めた後、これを保冷し、その後高温多湿の雰囲気下に放置した時、ひとつの収納凹部内（トマト表面を含む）に、結露水が約２ｃｃ発生したことによる。この結果を表１に示す。なお、表１に示す◎、○、×は、以下の内容を示している。
◎：１時間後、トレーの底壁部に水はなく排水され、収納箱に吸水されていた。
○：２時間後、トレーの底壁部に水はなく排水され、収納箱に吸水されていた。
×：２時間後、トレーの底壁部に水が残っており排水されていなかった。
【００５７】
＜通気性評価＞
トレーの収納凹部に内の通気性を確保するためには側壁部に均一に所定の割合で貫通孔が形成されていることが好ましい。底壁部に多数の貫通孔が形成されていても、底壁部が収納箱に当接し、底壁部の貫通孔が塞がれるため、側壁部に多数の貫通孔が形成されている方が、通気性が良いトレーといえる。
【００５８】
そこで、考案者らの経験から、実施例１〜６および比較例１，２のトレーに対して、側孔数比率が４０％以上のトレーを通気性が良いトレーとし、表１に○を記し、側孔数比率が４０％未満のトレーを通気性が悪いトレーとし、表１に×を記した。
【００５９】
＜緩衝性・剛性評価＞
収納箱（外装用ダンボール箱）に詰めた状態で、実施例１〜６および比較例１，２のトレーの収納凹部にトマトを収納し、この状態から各トレーの緩衝性および剛性の評価を行った。この結果を表１に示す。表１に示す○、×は以下の内容を示している。
○：トマトをトレーに収納したが隣り合うトマト同士の接触もなくトレー緩衝性、剛性共に問題なかった。
×：トマトをトレーに収納して軽くトレーを揺らすと強度が弱く隣り合うトマト同士が接触することがあった。
【００６０】
【表１】
0003194811.tif 000003
【００６１】
なお、表１では、排水性評価、通気性評価、緩衝性・剛性評価のいずれか１項目に×がある場合には、総合評価を×とし、いずれの項目にも×がなく、かつ、排水性評価の項目に◎がある場合には、総合評価を◎とし、それ以外の場合は、総合評価を○とした。
【００６２】
（結果１：底孔数比率について）
表１に示すように、実施例１〜６に係るトレーでは、排水性評価、通気性評価、および緩衝性・剛性評価いずれの項目も、良好であった。また、実施例１〜６に係るトレーでは、収納凹部の底壁部が収納箱の底部に接触していると、トレーの裏面側の底壁部の貫通孔付近において、表面張力で留まっている水も、紙製の収納箱の底部に積極的に吸水されたことがわかった。
【００６３】
比較例１に係るトレーでは、排水性評価は良好であったが、側壁部が比較的垂直になっているので厚みが薄くなってその強度低下し、トレーの緩衝性・剛性に問題があった。さらに、比較例１に係るトレーの側孔数比率は３８％（４０％未満）であるので、通気性が良いトレーとは言い難い。また、比較例２に係るトレーの底孔数比率は１５％であり、底孔数比率が低いため、排水性評価では２時間後には一部の収納凹部に水が残っており、排水性評価は良好ではなかった。
【００６４】
以上のことから、実施例１〜６に係るトレーの底孔数比率の結果から、底孔数比率が１７％以上である場合（実施例６参照）には、トレーの収納凹部の排水性を確保することができると考えられる。一方、トレーの通気性の観点から、収納凹部の底孔数比率が６０％以下であれば、側孔数比率が４０％以上となるため、収納凹部の通気性を確保することができると考えられる。さらに、実施例１〜６に係るトレーでは、底孔数は５個以上確保されているので、底孔数が３個以上の条件を満たすため、底孔数が足りないことによる排水性の低下はないと考えられる。
【００６５】
（結果２：面積率と底壁部の単位面積当たりの孔数について）
さらに、実施例１〜３に係るトレーの排水性評価では１時間後には各収納凹部の水はすべて排水され、収納箱の底部に吸水されていた。実施例４〜６に係るトレーの排水性評価では、１時間後には一部の収納凹部に水が残っていたが、２時間後には各収納凹部の水はすべて排水され、収納箱の底部に吸水されていた。また、表１には示していないが、実施例４に係るトレーは、実施例５および６に係るトレーよりも若干排水性が高かった。
【００６６】
実施例１〜４に係るトレーでは、所定の面積率の範囲（上述した実施形態で示した底面積ＳＢ／収納壁部の面積ＳＴが４５％以上の範囲）を満たしており、実施例５および６に係るトレーの面積率よりも大きい。これにより、実施例１〜４に係るトレーでは、実施例５および６に係るトレーよりも、底壁部が収納箱の底部に接触する面積が大きくなったことで、トレーの収納凹部に溜った水分の排水性が高くなったと考えられる。
【００６７】
実施例１〜４に係るトレーでは、所定の面積率の範囲（上述した実施形態で示した底面積ＳＢ／収納壁部の面積ＳＴが７５％以下の範囲）を満たしており、比較例１に係るトレーの面積率よりも小さい。これにより、結果１で示したように、実施例１〜４に係るトレーでは、比較例１に係るトレーとは異なり、側壁部の肉厚を確保することができ、安定した強度を確保することができたと考えられる。
【００６８】
さらに、実施例１〜３に係るトレーでは、底壁部の単位面積当たりの孔数が、上述した実施形態で示した０．４個／ｃｍ２から３個／ｃｍ２の範囲を満たすので、実施例４〜６に係るトレーよりも排水性が高かったと考えられる。
【００６９】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【００７０】
本実施形態では、安価に製造できる観点から、青果物用トレーの全面に貫通孔を形成したが、青果物用トレーの収納凹部にのみ、上述した範囲で貫通孔を形成してもよい。
【産業上の利用可能性】
【００７１】
本考案の青果物用トレーは、トマト、リンゴ、梨、桃等の各種青果物の収穫、選別、出荷、輸送等に用いる青果物用トレー、特には青果物収穫用として好適に利用できる。
【符号の説明】
【００７２】
１…青果物用トレー、１０…青果物包装材、１１…トレー外周縁部、１２…収納凹部、１３…収納壁部、１４…底壁部、１４ａ…周縁部、１５…側壁部、１５ａ…開口部、１６…貫通孔、２０…収納箱、Ｔ…青果物
【図１】
0003194811.tif 000004
【図２】
0003194811.tif 000005
【図３】
0003194811.tif 000006
【図４】
0003194811.tif 000007
【図５】
0003194811.tif 000008
【図６】
0003194811.tif 000009